(57)【特許請求の範囲】
【請求項１】
マッサージを施す者の手に装着する手袋手段と、振動を発生するコイン型の振動発生手段とを備え、
上記振動発生手段を、そのコイン面を手袋手段に接触させて複数個取付けてなり、かつ、
前記振動発生手段は、コイン型の振動モータであり、
前記振動モータは、弾性材により形成した軸と、この軸に偏心させた円板と、円板に取付けた複数のコイルと、円板の一部に取付けた磁石と、複数のコイルから所定距離離間すると共にケースに固定された磁石とを有し、
上記円板の回転により偏重心による径方向の振動が発生すると共に、円板に取付けた磁石とケースに固定された磁石との吸着による軸方向の振動が発生することを特徴とするマッサージ装置。
【発明の詳細な説明】
【技術分野】
【０００１】
この発明は、身体に機械的な振動を伝えてマッサージを施す装置に関する。
【背景技術】
【０００２】
図５に従来のマッサージ装置を示す。このマッサージ装置は特許文献１に開示されている。
図５において、１１０はウレタンゲルやシリコンゲルなどの粘着パッド、１２０は振動発生手段としての振動モータである。粘着パッド１１０の粘着面とは反対側の面には不図示の磁石片が、また振動モータ１２０には不図示の磁着面がそれぞれ設けられている。【０００３】
肩凝りを揉みほぐす場合、図５に示すように、肩凝りの部位に粘着パッド１１０の粘着面を粘着させ、その粘着パッド１１０の上に振動モータ１２０を重ね合わせる。そして粘着パッド１１０の磁石片と振動モータ１２０の磁着面とを磁着することにより、肩凝りの部位に振動モータ１２０を固定する。【０００４】
続いて電源スイッチをＯＮにして振動モータ１２０を振動させると、粘着パッド１１０を経て肩凝りの部位へ振動モータ１２０の振動が伝わり、肩凝りが揉みほぐされる。このように図５においては、磁石片付きの粘着パッド１１０を用いて振動モータ１２０を身体の所定部位に固定し振動することによりマッサージを施す。
【先行技術文献】
【特許文献】
【０００５】
【特許文献１】特開２００７−４４３１９号公報
【発明の概要】
【発明が解決しようとする課題】
【０００６】
図５のマッサージ装置は、粘着パッドを用いて振動モータを身体の所定部位に固定するので、もっぱら振動を伝えるだけで、振動と同時並行的に、振動させている部位を手で揉んだりつまんだりという施術がやりにくいという問題があった。【０００７】
また、粘着パッドを用いて振動モータを身体に保持するので、マッサージ対象部位の極く浅い表層部にしか振動が伝えらず、奥深くまで振動が伝わらないという問題があった。【０００８】
さらに、粘着パッドを用いて振動モータを身体に保持するので、粘着パッドが粘着しにくい服の下や頭髪のある部位には振動モータを保持しづらく振動を伝えにくいという問題があった。【０００９】
この発明は上記のような問題を解決するためになされたものであり、振動を伝えながら、同時にマッサージ対象部位を揉んだりつまんだりして、マッサージ効果を高めることを目的とする。【００１０】
またこの発明は、マッサージ対象部位の表面のみならず内部深くにも容易に振動を伝えられ、マッサージ効果を高めることを目的とする。【００１１】
さらにこの発明は、服や頭髪で覆われたマッサージを施しにくい部位にも、振動発生手段を固定して、マッサージ対象部位の制約をなくし、身体のどの部位でもマッサージが施せるようにすることを目的とする。
【課題を解決するための手段】
【００１２】
請求項１の発明に係るマッサージ装置は、マッサージを施す者の手に装着する手袋手段と、振動を発生するコイン型の振動発生手段とを備え、上記振動発生手段を、そのコイン面を手袋手段に接触させて複数個取付けてなり、かつ、前記振動発生手段は、コイン型の振動モータであり、前記振動モータは、弾性材により形成した軸と、この軸に偏心させた円板と、円板に取付けた複数のコイルと、円板の一部に取付けた磁石と、複数のコイルから所定距離離間すると共にケースに固定された磁石とを有し、上記円板の回転により偏重心による径方向の振動が発生すると共に、円板に取付けた磁石とケースに固定された磁石との吸着による軸方向の振動が発生するようにしたものである。
【００１３】
請求項２の発明に係るマッサージ装置は、振動発生手段がコイン型の振動モータであり、振動モータは、弾性材により形成した軸と、この軸に偏心させた円板と、円板に取付けた複数のコイルと、円板の一部に取付けた磁石と、複数のコイルから所定距離離間すると共にケースに固定された磁石とを有し、上記円板の回転により偏重心による径方向の振動が発生すると共に、円板に取付けた磁石とケースに固定された磁石との吸着による軸方向の振動が発生するようにしたものである。
【発明の効果】
【００２０】
請求項１の発明によれば、マッサージを施す者の手に装着する手袋手段と、振動を発生するコイン型の振動発生手段とを備え、上記振動発生手段を、そのコイン面を手袋手段に接触させて複数個取付けてなるので、手袋を薄型化、軽量化できるという効果が得られる。また、手に装着した手袋手段により振動発生手段の振動を伝えながらマッサージ対象部位を容易に揉んだりつまんだりできるようになり、マッサージ効果を高めるという効果が得られる。【００２１】
更に、振動発生手段がコイン型の振動モータであり、振動モータは、弾性材により形成した軸と、この軸に偏心させた円板と、円板に取付けた複数のコイルと、円板の一部に取付けた磁石と、複数のコイルから所定距離離間すると共にケースに固定された磁石とを有し、上記円板の回転により偏重心による径方向の振動が発生すると共に、円板に取付けた磁石とケースに固定された磁石との吸着による軸方向の振動が発生する。よって、複合的な振動により優れたマッサージ効果が得られる。
【図面の簡単な説明】
【００２８】
【図１】この発明の実施の形態１によるマッサージ装置の外観を示す図である。
【図２】この発明の実施の形態１によるマッサージ装置の内部構成を示すブロック図である。
【図３】この発明の実施の形態１によるマッサージ装置の使用方法の一例を説明するための図である。
【図４】振動モータの配置バリエーションを示す図である。
【図５】コイン型の振動モータの断面図であり、（ａ）は偏心分銅を回転させて振動を発生する形式、（ｂ）はコイン面の法線方向にも振動を発生する形式を示す。
【図６】従来のマッサージ装置の使用説明図である。
【発明を実施するための形態】
【００２９】
以下、図面を参照しつつ、この発明の実施の形態を詳細に説明する。なお、各図面では、同一の構成または相当する構成については同一の符号を付す。
【００３０】
実施の形態１．
図１はこの発明の実施の形態１によるマッサージ装置の外観を示す図である。
図１において、１０は使用者の右手・左手に装着される２つの手袋（手袋手段）、２１は手袋１０の親指・人差し指・中指・薬指・小指の腹に相当する部分にそれぞれ設けたコイン型の振動モータ（振動発生手段）、３０はマッサージ装置のコントローラである。コントローラ３０は、片方ずつの手袋１０に独立して小型のものを取付け、操作の自由度を向上させることも考えられる。なお、指の腹とは指紋のある箇所であり、以下では、手の各部位の名称を手袋１０の該当箇所を指す場合にも用いる。
【００３１】
図１のマッサージ装置は、手袋１０に振動モータ２１を設けている点に特徴がある。振動モータ２１は、携帯電話などのバイブレータ用にしばしば用いられるもので、モータ軸周りに偏心分銅を回転させて振動を発生する形式（図５（ａ）参照）の他、コイン面の法線方向にも振動を発生する形式など、様々な振動発生方式を採用できる。
図５（ａ）において、５０はモータ軸でそれを中心に振動子５１が回転する。振動子５１には偏心分銅５２が取り付けてあり、振動子５１が回転するとモータ軸５０を介しケース５３の全体が振動する。５３は回転用コイルで、磁石５４を吸引反発して振動子を回転する。ケース５３は外径が１０ｍｍ程度で厚さ３〜５ｍｍほどのコイン形状で、重量は１．０ｇ前後のものが適している。これを手袋１０の所定の場所に接着剤で接着し、図２の如く、コントローラ３０との間に配線を施す。
図５（ｂ）は振動モータの別の例で、コイン面の法線方向にも振動を発生する形式を示す。ここでは、弾性材により形成した軸６０に偏心させた円板６１を取り付ける。円板６１は複数のコイルを有し、これに通電することにより、円板６１に対向する位置に設置した磁石６３との間で回転力を生じ、円板６１が軸６０を中心に回転する。このとき円板６１の一部に取り付けたマグネット６２により軸方向に変移する力が円板６１に作用し、円板６１は偏重心による径方向の振動に加え、軸方向すなわちコイン面の法線方向にも振動する。この様な複合的な振動を発生する振動モータを手袋に取り付ければ、さらに優れたマッサージ効果が期待できる。
【００３２】
振動モータ２１は、接着剤などを使って手袋１０の指の腹に設けられる。図１では、理解しやすくするために手袋１０の外側に振動モータ２１を設けているが、手袋１０の内側に、つまり手を入れる側に振動モータ２１を設けるようにしても良い。コイン型の振動モータ２１を用いることにより、手袋１０の薄型化・軽量化が可能となり実用性の高いマッサージ装置を構成できる。
【００３３】
図２はこの発明の実施の形態１によるマッサージ装置のブロック構成を示す図である。
図２のコントローラ３０において、３１はマッサージ装置を操作するための操作パネル、３２はマッサージ装置を制御するＣＰＵ（振動制御手段）、３３はマッサージ装置のプログラムや各種設定を記憶するメモリ、３４は各振動モータ２１を個々に駆動するモータドライバ（振動制御手段）である。
【００３４】
次にこの装置の使用方法を説明する。
マッサージ装置の使用者自身が手袋１０を両手に装着し、操作パネル３１を操作してマッサージ装置を起動すると、ＣＰＵ３２は、メモリ３３に記憶された通常モードのプログラムに基づき、モータドライバ３４により各振動モータ２１を駆動して振動を発生させる。振動モータ２１から振動が発生すると、使用者はマッサージ対象部位に手袋１０を当てて振動を伝えるとともに、その部位を手袋１０で揉んだりつまんだりする。
【００３５】
このように、振動モータ２１を設けた手袋１０を手に装着し、マッサージ対象部位に振動を伝えながらその部位を手袋１０で揉んだりつまんだりできるので、マッサージ効果を高めることが可能となっている。
【００３６】
また、手袋１０により振動モータ２１をマッサージ対象部位に押し付けられるので、マッサージ対象部位の表面のみならず内部深くにも容易に振動を伝えることができ、マッサージ効果を高めることが可能となっている。
【００３７】
さらに、手袋１０により服の下や頭髪のある部位にも振動モータ２１を容易に保持して振動を伝えられるので、従来ではマッサージを施しにくかった部位にも容易にマッサージを施すことが可能となっている。
なお手袋１０は使用者自身ではなく介助者が装着して使用してもよい。
【００３８】
この他に、次のような使用方法も考えられる。
図３は、この発明の実施の形態１によるマッサージ装置の使用方法の一例を説明するための図であり、使用者が自らの顔４０にマッサージ装置を使用する場合を図示している。もちろん、マッサージ装置を使用する箇所は顔に限定されるものではなく、身体の他の部位でも良い。
【００３９】
図３（ａ）のように手袋１０を両手に装着した使用者が、操作パネル３１により順次振動モードを選択して手袋１０の掌を顔４０に当てた状態が図３（ｂ）である。この図３（ｂ）の状態では、各振動モータ２１は顔４０の目の周辺から耳の前のリンパ節にほぼ沿って位置している。ＣＰＵ３２は、メモリ３３に記憶された順次振動モードのプログラムに基づき、図３（ｃ）の丸数字に示すように、小指・薬指・中指・人差し指・親指、小指・薬指・中指・人差し指・親指、……の順番で各振動モータ２１をモータドライバ３４により振動継続時間Δｔだけ順次振動させる。
【００４０】
このように、手袋１０の掌を広げて顔４０に当て、顔４０の目の周辺から耳の前のリンパ節へとリンパの流れに沿って小指から親指へと各振動モータ２１を順次振動させているので、手や指を動かすことなく図３（ｃ）のブロック矢印Ｐの方向にリンパを循環させられるようになり、美容や健康の面で効能の高いリンパマッサージを簡単に施すことができる。
【００４１】
なお、各振動モータ２１の振動の順序や振動開始のタイミング、振動継続時間、振動の強弱などは、必ずしも図３の説明の場合に限定されない。例えば図３で、小指・薬指の各振動モータ２１の組と中指・人差し指・親指の各振動モータ２１の組とを順次振動させるなどのパターンも考えられる。つまり、身体のリンパの流れと身体に当てた各振動モータ２１との互いの位置関係や使用者自身の考え・好みに応じて、使用者が操作パネル３１によりメモリ３３のプログラムを設定変更すれば良い。また、リンパのみならず、血液その他の体液の流れに沿って各振動モータ２１を順次振動させても良い。
もちろん、体液の流れとは関係なく、身体に当てた各振動モータ２１を順次振動させても良く、これにより、身体に対し方向性を持たせて振動を与えることができるようになり、手や指を動かすことなくマッサージを施すことができる。
【００４２】
また、以上の説明では、手袋１０の指の腹に振動モータ２１を設けた場合について説明してきたが、振動モータ２１を設ける箇所は必ずしも手袋１０の指の腹とする必要はない。
例えば次の図４に示すように色々なバリエーションが考えられる。
【００４３】
図４は振動モータの配置バリエーションを示す図である。
図４（ａ），（ｂ）において、２２は手袋１０の指の掌に設けた振動モータ（振動発生手段）であり、振動モータ２２は指の腹ではなくその下から指の根元までの間に設けている。また、２３は手袋１０の掌に設けた振動モータ（振動発生手段）、２４は手袋１０の指先に設けた振動モータ（振動発生手段）、２５は手袋１０の指の甲に設けた振動モータ（振動発生手段）である。
【００４４】
このように、手袋１０の掌に振動モータ２１〜２３を、手袋１０の指先に振動モータ２４を、手袋１０の甲に振動モータ２５をそれぞれ設けることも可能である。このことにより、振動モータ２１〜２５の振動を伝えながら手袋１０の掌、指先、甲をマッサージに使うことが可能となり、多様なマッサージを施せるようになる。もちろん図４の配置は例であって、図４に示した箇所以外に振動モータ２１〜２５を設けても良い。
【００４５】
さらに、以上の説明では、振動モータ２１〜２５を用いてきたが、ボイスコイルや磁歪材などを使って振動発生手段を構成し、振動モータ２１〜２５の代わりとしても良い。
【００４６】
さらに、ＣＰＵ３２およびモータドライバ３４が、正弦波や三角波、鋸歯状波、方形波などの周期関数で振幅変調した振動を振動モータ２１〜２５から発生させることも可能である。振動モータ２１〜２５の振動のレベルを周期的に変化させることにより、振動パターンを増やすことができ、変化に富んだマッサージを提供できる。
【００４７】
さらに、手袋１０は必ずしも両手用を揃える必要はなく、右手用・左手用のいずれか一方の手袋１０があれば良い。また、手袋の形状も必ずしも５本指タイプのものである必要はない。
【００４８】
さらに、手袋１０に設ける振動モータ２１〜２５の数も１つ以上あれば良く、図３の順次振動モード以外は基本的に実施可能である。ただし、振動モータ２１〜２５の数を複数とすることにより、複数の振動モータ２１〜２５から振動を伝えられるようになり、マッサージ効果をいっそう高めることができる。
【００４９】
さらに、手袋１０とコントローラ３０とは必ずしも別体とする必要はなく、コントローラ３０を小型化することができれば、手袋１０と一体化して構成しても良く、マッサージ装置の実用性を高めることができる。
【００５０】
以上のように、この実施の形態１によれば、身体に対し振動を伝えてマッサージを施すマッサージ装置において、振動を発生する振動モータ２１〜２５と、マッサージを施す手に装着され、振動モータ２１〜２５を少なくとも１つ以上備えた手袋１０と、を備えるようにしたので、手に装着した手袋１０により振動モータ２１〜２５の振動を伝えながらマッサージ対象部位を容易に揉んだりつまんだりできるようになり、マッサージ効果を高めることができるという効果が得られる。また、手に装着した手袋１０により振動モータ２１〜２５を押し付けてマッサージ対象部位の表面のみならず内部深くにも容易に振動を伝えられるようになり、マッサージ効果を高めることができるという効果が得られる。さらに、手に装着した手袋１０により服の下や頭髪のある部位にも振動モータ２１〜２５を容易に保持して振動を伝えられるようになり、従来ではマッサージを施しにくかった部位にもマッサージ効果を与えることができるという効果が得られる。
【００５１】
また、この実施の形態１によれば、手袋１０は、掌に振動モータ２１〜２３を備えるようにしたので、振動モータ２１〜２３の振動を伝えながら手袋１０の掌をマッサージに使うことが可能となり、多様なマッサージを施すことができるという効果が得られる。
【００５２】
さらに、この実施の形態１によれば、手袋１０は、指先に振動モータ２４を備えるようにしたので、振動モータ２４の振動を伝えながら手袋１０の指先をマッサージに使うことが可能となり、多様なマッサージを施すことができるという効果が得られる。
【００５３】
さらに、この実施の形態１によれば、手袋１０は、甲に振動モータ２５を備えるようにしたので、振動モータ２５の振動を伝えながら手袋１０の甲をマッサージに使うことが可能となり、多様なマッサージを施すことができるという効果が得られる。
【００５４】
さらに、この実施の形態１によれば、手袋１０は、振動モータ２１〜２５を複数備えるようにしたので、複数の振動モータ２１〜２５から振動を伝えられるようになり、マッサージ効果をいっそう高めることができるという効果が得られる。
【００５５】
さらに、この実施の形態１によれば、複数の振動モータ２１〜２５に順次振動を発生させるＣＰＵ３２およびモータドライバ３４をさらに備えるようにしたので、身体に対し方向性を持たせて振動を与えることができるようになり、手や指を動かすことなくマッサージを施すことができるという効果が得られる。
【００５６】
さらに、この実施の形態１によれば、振動モータ２１〜２５が発生する振動のレベルを周期的に変化させるＣＰＵ３２およびモータドライバ３４をさらに備えるようにしたので、振動パターンを増やすことができるようになり、変化に富んだマッサージを提供できるという効果が得られる。
【００５７】
さらに、この実施の形態１によれば、振動モータ２１〜２５は、コイン型の振動モータとするようにしたので、手袋１０を薄型化・軽量化できるようになり、実用性の高いマッサージ装置を構成できるという効果が得られる。
【００５８】
上記実施の形態では、振動発生手段として、振動モータを挙げたが、本発明はこれに限られるものではなく、コイルに交流を流して鉄板を吸引反発する動電型振動発生器や磁歪材を使用した振動発生器であってもよい。
【符号の説明】
【００５９】
１０  手袋（手袋手段）、２１〜２５  振動モータ（振動発生手段）、３０  コントローラ、３１  操作パネル、３２  ＣＰＵ（振動制御手段）、３３  メモリ、３４  モータドライバ（振動制御手段）、４０  顔。
【図１】
0005873431.tif 000002
【図２】
0005873431.tif 000003
【図３】
0005873431.tif 000004
【図４】
0005873431.tif 000005
【図５】
0005873431.tif 000006
【図６】
0005873431.tif 000007